(57)【要約】      （修正有）【課題】複数の箱の内容物の制御を可能にする、物品のための自動化されたターミナルを提供する。【解決手段】物品を格納するための独立した区画を有している箱３を有している、モジュール２；箱３のそれぞれに付属している扉；上記扉を開閉するための電子的な閉鎖手段；上記区画における物品の存非を検出するための検出器；ならびに上記閉鎖手段、上記検出器および一般的なコントローラに対して、上記一般的なコントローラからの情報を受信し、かつターミナル１を制御するための指示を生成するために接続されている制御ユニット６を備えている。上記制御ユニット６に記録されている要求された「予約済」もしくは「空き」の状態と、上記箱３が使用されているか、または空であるか否かの情報の間において、一致が確認されていないときに、上記閉鎖手段に作用して、上記箱３の開放を維持させる。【選択図】図１
0003203963.tif 000002
【実用新案登録請求の範囲】
【請求項１】
物品のための自動化されたターミナルであって、
包装物または物品を格納するための独立した区画を規定する少なくとも１つの箱（３）を含んでいる、少なくとも１つのモジュール（２）；
上記箱（３）のそれぞれに付属している扉（４）であり、当該扉（４）の開閉を可能にするための電子的な閉鎖手段を備えている扉（４）；
上記箱（３）における物品の存非を検出するために上記箱（３）のそれぞれに配置されている、少なくとも１つの検出器（７）；ならびに
（ｉ）上記箱（３）のそれぞれの上記閉鎖手段（５）、単一もしくは複数の上記検出器（７）および一般的なコントローラと接続されており、かつ（ｉｉ）上記一般的なコントローラから情報を受信し、当該情報に基づいて上記ターミナル（１）を制御するための指示を生成するように構成されている、制御ユニット（６）を備えており、
上記制御ユニット（６）は、上記制御ユニット（６）に記録されている要求された「予約済」もしくは「空き」の状態、および上記箱が使用されているか、または空であるか否かの情報の間において一致が上記箱（３）について確認されていないときに、上記閉鎖手段（５）に作用して、上記箱（３）の開放を維持させることを特徴とする物品のための自動化されたターミナル。
【請求項２】
上記制御ユニット（６）と接続されている、一致が確認されないときに作動される警告手段をさらに備えていることを特徴とする請求項１に記載の物品のための自動化されたターミナル。
【請求項３】
上記警告手段が点灯手段であることを特徴とする請求項２に記載の物品のための自動化されたターミナル。
【請求項４】
上記警告手段が音響手段ことを特徴とする請求項２および３のいずれか１項に記載の物品のための自動化されたターミナル。
【請求項５】
上記物品検出器（７）が赤外線センサを含んでいることを特徴とする請求項１〜４のいずれか１項に記載の物品のための自動化されたターミナル。
【請求項６】
上記物品検出器（７）がレーザビームを含んでいることを特徴とする請求項１〜５のいずれか１項に記載の物品のための自動化されたターミナル。
【請求項７】
上記物品検出器（７）が容積測定センサを含んでいることを特徴とする請求項１〜６のいずれか１項に記載の物品のための自動化されたターミナル。
【請求項８】
上記物品検出器（７）が上記箱の基部に取り付けられていることを特徴とする請求項１〜７のいずれか１項に記載の物品のための自動化されたターミナル。
【請求項９】
上記物品検出器（７）が、上記箱（３）の基部以外の壁のいずれかに配置されていることを特徴とする請求項１〜８のいずれか１項に記載の物品のための自動化されたターミナル。
【考案の詳細な説明】
【技術分野】
【０００１】
本発明の適用の分野は、物流の技術領域の範囲内にあり、より詳細には、物品の保管および分配の分野である。
【０００２】
より詳細には、本発明の目的は、Internetを通じた自動制御および遠隔管理を用いて物品を保管するための箱を有している産業ターミナルを中心にする。排他的ではないが、特に、当該ターミナルは、E-commerceを介して購入された物品を保管するために設計されており、これまでの未管理の物品による、ターミナルの箱の占有を回避することを可能にする。
【背景技術】
【０００３】
購入者が商業施設を訪れ、当該施設において商品を買い取り、当該商品が、彼もしくは彼女によって持ち帰られ得るか、または彼もしくは彼女の住居もしくは承諾された他の場所に、ある期間内に配達される従来の商取引の代替として、購入者が商業施設に移動せず、カタログ（印刷されているか、またはInternetによる）を閲覧し、電話（電話またはファックスなど）またはテレマティックな通信手段を介するか否かに関わらず、遠くから（例えばInternetによって）注文書を発行するビジネスモデルが開発されている。上記ビジネスモデルは、購入者がそれらを回収するまでの保管のための、会社が彼らの製品を送る保管ターミナル（産業ターミナルとも呼ばれる）の使用を含んでいる。保管ターミナルは、大きさの変更され得る複数の箱を備えている。当該箱には、例えば上述の通りInternetを通じた、電子取引として知られている様式（「E-commerse」とも呼ばれる）を介した、買い取られた製品を格納している包装物が保管されている。上記保管ターミナルは、上記箱における包装物の保管を管理するための自動化され、かつ機械化された管理手段をさらに備えている。上記管理手段は、上記箱に対して離れた位置に配置され得る。
【考案の概要】
【０００４】
本発明は、記録されていない包装物による複数の箱のうちの１つの占有を回避するために、複数の箱の内容物の制御を可能にする点において特徴づけられている遠隔性の管理手段を有している、物品のための自動化されたターミナルを提供する。
【０００５】
この目的のために、上記ターミナルは、包装物または物品を格納するための独立した区画を規定する複数の箱をそれぞれ有している１つ以上のモジュールから構成されている。上記箱は、一般的なコントローラ、好ましくはInternetに基づく制御システムによって遠隔から制御され、かつ管理される制御ユニットによって命令される閉鎖手段、好ましくは電子錠を有している。
【０００６】
上記ユニットは、一般的なコントローラからのInternetを通じた注文に関連する情報を送受信するため、および当該情報に基づいてターミナル管理命令を生成するために構成されている。
【０００７】
また、上記ターミナルは、複数の上記箱の内部における物品の存非を検出するための少なくとも１つの検出器を、上記箱の内部に想定している。上記箱のそれぞれの単数または複数の上記検出器は、上記ターミナルの上記制御ユニットと連結されている。上記箱が物品を格納している予定ではないときに、当該箱における物品の存在を上記検出器が検出した場合に、上記制御ユニットは上記閉鎖手段を動作させて、関連する箱を解放状態に維持し、好ましくは上記一般的なコントローラに警告メッセージを送る。また、上記ターミナルは、上記制御ユニットと同じく連結されている警告手段を必要に応じて組み込み得、当該警告手段は、当該制御ユニットによって作動され得る点灯手段および／または音響手段であり得る。
【０００８】
包装物が予め検査されておらず、したがって複数の上記箱のいずれかに保管されるべきではないので、以上は、上記物品の安全性の確保を目的としている。
【０００９】
本発明の主な利点は、上記システムがそれぞれの箱における包装物の存非を所定の時間において明らかに検出可能である付加的な安全性である。これは、制御ユニットに記録されている要求された「予約済」もしくは「空き」の状態、および上記検出器によって上記制御ユニットに供給される、箱が占有されているか、もしくは空であるかについての情報の間における、箱のそれぞれにおける相関関係を、予約済の箱が占有されなければならず、空きの箱がからでなければならないように、確保することを可能にする。逆の状態が生じる場合、空であるべき箱に包装物があり、占有されるべき箱が空であるためであり、上記制御ユニットによる対応する動作を生じさせる。当該動作は、対応する箱を解放状態に保つために閉鎖手段を動かすことである。
【００１０】
特に上述の作用は、以下の状態：
物品包装物を持ち込む責任を有している人間が実際にそれを行っている（そうでなければ、箱の扉が閉じられると、検出器は、占有されていると記録されている箱における物品の非存在を制御ユニットに通知する）か否かによって管理し；
消費者が物品を実際に取り出されている（そうでなければ、検出器は空であると記録されている箱における物品の存在を検出する）か否かによって管理し；
その瞬間に占有されていると設定されていない箱に誤って包装物を持ち込む人間がいないことを管理する、を通して管理を可能にする。
【００１１】
上記ターミナルの上記箱のそれぞれに配置されている物品の検出器によって使用される技術（赤外線センサ、レーザビーム、容積測定センサなどあり得る）が変化し得ることが留意される。
【００１２】
同様に、物品検出器の数はまた、箱の大きさ、材料などに依存する必要性にしたがった特定の基準によって変化し得る。
【００１３】
同様に、箱の内部にある物品検出器の位置は、変化し得る。包装物の重量に起因して当該包装物は、箱の基部に置かれている傾向にあり、検出されるので、物品検出器は箱の基部に好ましく配置される。しかし、他の選択肢（例えば、箱の複数の壁の間に押し込まれており、したがって、箱の基部に置かれていない包装物を検出するために、箱の壁に検出器を配置すること）も考慮される。
【００１４】
本発明の特徴をよりよく理解するために作成されている明細書を補足し、かつ当該理解を補助する目的として、当該明細書は、それの統合された一部として、以下に表されている例示的および非限定的な様式における１組の図面をともなっている。
【図面の簡単な説明】
【００１５】
【図１】本発明の対象である、物品のための自動化されたターミナルの例の模式的な正面図を示しており、当該ターミナルが備えている一般的な外部構成および主要な構成要素が、認められ得る。
【図２】内部に組み込んでいる構成要素を示しており、かつ扉の開いている、本発明に係るターミナルの複数の箱のいずれか１つの例の、透視図を示している。
【考案を実施するための形態】
【００１６】
上述の図面を参照し、かつ採用されている番号付与にしたがって、以下に詳細に示されており、かつ説明されている部品を備えている本発明に係る物品のための自動化されたターミナルの非限定的な例が、注目され得る。
【００１７】
上述の図面に認められ得る通り、対象となるターミナル（１）は、包装物もしくは物品を格納するための独立した区画を規定する１つ以上の箱（３）を含んでいる１つ以上のモジュール（２）に基づいて構成されている。ここで、扉（４）は、箱の開閉を制御するための制御ユニット（６）によって命令される電子錠から好ましくなる閉鎖手段（５）を有していると認識される。
【００１８】
制御ユニット（６）は、ユーザとやり取りするためのタッチスクリーンを備え得る１つのＰＣを含んでいる。当該ＰＣは、Internet；内部ネットワーク（例えば、Ethernet（登録商標））；記憶装置（例えば、ＵＳＢメモリ）；または他の接続システムによって、注文と関連する情報を送受信し、かつ当該情報に基づくターミナル（１）の管理命令を生成するための一般的なコントローラ（図示せず）と距離を置いて接続されている。
【００１９】
制御ユニット（６）は、箱（３）のそれぞれの扉（４）の閉鎖手段（５）を開閉するためのターミナル（１）の電子装置と接続されている。
【００２０】
図２を参照すると、ターミナル（１）の箱（３）は、１つ以上の物品検出器（７）の組込みが認識される当該箱の内部にあると、認められ得る。物品検出器（７）は、例えば、赤外線センサ、レーザビーム、容積センサなどからなり、例えば、箱（３）における物品の存在についての情報を取得するために上記ターミナルの制御ユニット（６）と接続されている。
【００２１】
物品検出器（７）は、箱（３）の基部に好ましく配置されている。しかし、物品検出器（７）はまた、異なる高さにある箱（３）の壁、もしくは箱（３）の天井に配置され得るか、または上記箱の壁に一体化されており、上記壁の間に押し込まれている包装物を検出する。同様に、盲点を最小化するために、必要に応じて、さらに異なる種類の、１つ以上の検出器（７）の配置がまた、想定されている。
【００２２】
さらに、ターミナル（１）は、物品検出器（７）が未管理の包装物を検出したときに動作させられる、制御ユニット（６）とも接続されている警告手段を組み込んでいる。上記警告手段は、図面に示されている好ましい例によれば、点灯手段（８）および／または音響手段（９）を含み得る。未管理の包装物が検出されたとき、以上に説明されている様式において、制御ユニット（６）は、箱が未管理の物品を格納しているので、関連する箱（３）の扉（４）の閉鎖手段（５）の無効化を決定し、扉（４）が閉じられることを回避し、一般的なコントローラに警告メッセージを送る。
【００２３】
以下は、E-commerceサービスのための包装物配送ターミナル（１）としての、好ましい用途のための本発明のターミナル（１）の動作の例である。
【００２４】
購入者は、E-commerceを介してInternetを通じて物品を注文する。一般的なコントローラは、注文データを受信し、箱（３）のいずれかへのそれらの格納のために必要な情報を、Internetを通じて送信する。制御ユニット（６）は、（ｉ）箱（３）に物品を割り当て、（ｉｉ）その扉（４）の閉鎖手段を有効にし、かつ（ｉｉｉ）箱（３）についての「予約済」情報を記録するために必要な指示を送信する。物品がターミナルに受け取られると、制御ユニット（６）はその到着を記録し、検出器（７）は、対応する箱（３）における保管を確認し、閉鎖手段を閉鎖させて、関連する箱の扉（４）の許可されていない解放を回避する。購入者が、彼または彼女の物品を回収するために来訪し、かつ彼または彼女の照会状をターミナル（１）に提示すると、制御ユニット（６）は、箱（３）の扉（４）の閉鎖手段（５）の解放を処理し、包装物が取り出されると、監視システムは、検出器（７）が箱（３）における物品の存在を検出しないことによって、箱（３）が空であることを記録する。このようにして、関連する箱（３）は、一般的なコントローラが割り当てを指示するときに、新たな物品の包装物が割り当てられる準備が整う。これが生じる前に他の包装物が箱（３）に持ち込まれると、検出器（７）は、それを検出し、制御ユニット（６）は、他の包装物を未管理の包装物とみなし、制御ユニット（６）が、（ｉ）箱（３）の扉（４）の閉鎖手段を無効にし、（ｉｉ）警告手段（例えば、）を動作させ、かつ（ｉｉｉ）離れた一般的なコントローラに送信される警告メッセージを生成する。
【図１】
0003203963.tif 000003
【図２】
0003203963.tif 000004